(57)【要約】      （修正有）【課題】簡易な構成且つ低コストで、広い平面を表面に有する対象物の皮を剥くことができる新規ピーラーを提供する。【解決手段】刃体１と、下端にハンドル付きの刃体支持部２とを備えている。刃体支持部２の先端には、刃体１を回転可能に支持するシャフト４が設けられている。刃体１の両端のそれぞれには、シャフト４に合わせた軸スリーブ５が刃体１の両端よりも内側に位置するように設けられている。刃体１は、一方の面が凸面で他方の面が凹面となるように湾曲した板状形状となっている。刃体１は、シャフト４が軸スリーブ５に嵌挿されることによって、刃体支持部２のシャフト４に可動接続されている。広い平面を表面に有する対象物の皮を剥くことができ、野菜及び果物などの皮むきに適用している。【選択図】図３
0003188965.tif 000002
【実用新案登録請求の範囲】
【請求項１】
刃体と下端にハンドル付きの刃体支持部とを備え、
前記刃体支持部の先端には、刃体を回転可能に支持するシャフトが設けられ、
前記刃体の両端のそれぞれには前記シャフトに合わせた軸スリーブが設けられ、
前記刃体は、前記軸スリーブを介して、前記刃体支持部の前記シャフトに可動接続されていることを特徴とする新規ピーラー。
【請求項２】
前記シャフトが、前記刃体支持部よりも内側に配置されていることを特徴とする請求項１に記載の新規ピーラー。
【請求項３】
前記シャフトが、前記刃体支持部よりも外側に配置されていることを特徴とする請求項１に記載の新規ピーラー。
【請求項４】
前記刃体が、前記刃体支持部の先端に位置していることを特徴とする請求項１〜３のいずれか１項に記載の新規ピーラー。
【考案の詳細な説明】
【技術分野】
【０００１】
本考案は、刃具に関し、特に新規ピーラーに関する。
【背景技術】
【０００２】
本考案が出願される前から、ピーラーは、安全に快速且つ有効に皮をむくことができるため、生活者に良く使われている皮むき機である。普通のピーラーの構成として、刃体の両端にシャフトが設置され、刃体支持部の上端に刃体を支持するための穴が設けられており、刃体支持部の先端は一般的に刃体より高い位置にある。例えば中国特許番号２００５２００５８９８７．９のピーラーにおいては、刃体が支持部の中に位置しており、使用時に刃体の全体が皮むきの対象物に接触することが保証されない。そのため、当該ピーラーを利用して広い平面を表面に有する対象物の皮を剥こうとするとき、対象物の表面にある広い平面が刃体支持部の先端に邪魔されるため、刃体が対象物の広い平面を有する表面に接触できず、皮むきの目的を実現できなくなっている。
【考案の概要】
【考案が解決しようとする課題】
【０００３】
本考案の目的は、上記背景技術に記載の課題を解決することであり、簡易な構成且つ低コストで、広い平面を表面に有する対象物の皮を剥くことができる新規ピーラーを提供することである。
【課題を解決するための手段】
【０００４】
上記目的を実現するため、本考案に提供される新規ピーラーは、刃体と下端にハンドル付きの刃体支持部とを備え、前記刃体支持部の先端には、刃体を回転可能に支持するシャフトが設けられ、前記刃体の両端のそれぞれには前記シャフトに合わせた軸スリーブが設けられ、前記刃体は、前記軸スリーブを介して、前記刃体支持部の前記シャフトに可動接続されている。
【０００５】
上記手段において、シャフトの配置には、以下の二つの状態がある。
その一  前記シャフトが、前記刃体支持部の内側に配置されている。
その二  前記シャフトが、前記刃体支持部の外側に配置されている。
【考案の効果】
【０００６】
従来技術と比較した本考案の利点としては、簡易な構成且つ低コストで、使用しやすく、効率が良く、広い平面を表面に有する対象物の皮を剥くことができること等が挙げられる。
【０００７】
本考案に係るピーラーのいずれかの部品にＩＣチップを埋め込むことが好ましい。そうすると、ＩＣチップの中に当該ピーラーに対するメーカーの情報などを格納することができるため、偽物の製造を回避することができ、ブランドの構築が容易になる。
【図面の簡単な説明】
【０００８】
【図１】従来のピーラーの構成を示す概略図である。
【図２】従来のピーラーにおける刃体の構成を示す概略図である。
【図３】本考案の実施例１に係るピーラーの構成を示す概略図である。
【図４】本考案の実施例２に係るピーラーの構成を示す概略図である。
【図５】本考案に係るピーラーの刃体の構成を示す正面図である。
【図６】本考案に係るピーラーの刃体の構成を示す側面図である。
【符号の説明】
【０００９】
１  刃体
２  刃体支持部
３  ハンドル
４  シャフト
５  軸スリーブ
【考案を実施するための形態】
【００１０】
以下、図面を参照しながら本考案の実施例について詳しく説明する。なお、当該実施例は本考案を限定するものではないと理解すべきである。
【００１１】
実施例１によって提供される新規ピーラーは、刃体１と、下端にハンドル３が付いた刃体支持部２とを備えている。刃体支持部２の先端には、刃体１を回転可能に支持するためのシャフト４が設けられている。刃体１の両端のそれぞれには、シャフト４に合わせた軸スリーブ５が設けられている。刃体１は、軸スリーブ５を介して、刃体支持部２のシャフト４に可動接続されている。刃体１は、刃体支持部２の先端に配置されている。そして、シャフト４は、刃体支持部２よりも内側に設けられている。
【００１２】
実施例２によって提供される新規ピーラーは、刃体１と、下端にハンドル３が付いた刃体支持部２とを備えている。刃体支持部２の先端には、刃体１を回転可能に支持するためのシャフト４が設けられている。刃体１の両端のそれぞれには、シャフト４に合わせた軸スリーブ５が設けられている。刃体１は、軸スリーブ５を介して、刃体支持部２のシャフト４に可動接続されている。刃体１は、刃体支持部２の先端に配置されている。そして、シャフト４は、刃体支持部２よりも外側に設けられている。
【図１】
0003188965.tif 000003
【図２】
0003188965.tif 000004
【図３】
0003188965.tif 000005
【図４】
0003188965.tif 000006
【図５】
0003188965.tif 000007
【図６】
0003188965.tif 000008
【手続補正書】
【提出日】平成25年8月26日(2013.8.26)
【手続補正１】
【補正対象書類名】実用新案登録請求の範囲
【補正対象項目名】全文
【補正方法】変更
【補正の内容】
【実用新案登録請求の範囲】
【請求項１】
刃体と下端にハンドル付きの刃体支持部とを備え、
前記刃体支持部の先端には、刃体を回転可能に支持するシャフトが設けられ、
前記刃体の両端のそれぞれには前記シャフトに合わせた軸スリーブが前記刃体の両端よりも内側に位置するように設けられ、
側面視において、前記刃体は、一方の面が凸面で他方の面が凹面となるように湾曲した板状形状となっており、
側面視において、前記軸スリーブは、前記湾曲の頂点を通過し且つ前記刃体に直交する線分に対して線対称となる形状を有していると共に、その外縁の一部が前記湾曲の頂点を含む前記凹面の一部に接触しつつ延在しており、
前記刃体は、前記シャフトが前記軸スリーブに嵌挿されることによって、前記刃体支持部の前記シャフトに可動接続されていることを特徴とする新規ピーラー。
【請求項２】
前記シャフトが、前記刃体支持部よりも内側に配置されていることを特徴とする請求項１に記載の新規ピーラー。
【請求項３】
前記シャフトが、前記刃体支持部よりも外側に配置されていることを特徴とする請求項１に記載の新規ピーラー。
【請求項４】
前記刃体が、前記刃体支持部の先端に位置していることを特徴とする請求項１〜３のいずれか１項に記載の新規ピーラー。
【手続補正２】
【補正対象書類名】明細書
【補正対象項目名】０００４
【補正方法】変更
【補正の内容】
【０００４】
上記目的を実現するため、本考案で提供される新規ピーラーは、刃体と下端にハンドル付きの刃体支持部とを備え、前記刃体支持部の先端には、刃体を回転可能に支持するシャフトが設けられ、前記刃体の両端のそれぞれには前記シャフトに合わせた軸スリーブが前記刃体の両端よりも内側に位置するように設けられ、側面視において、前記刃体は、一方の面が凸面で他方の面が凹面となるように湾曲した板状形状となっており、側面視において、前記軸スリーブは、前記湾曲の頂点を通過し且つ前記刃体に直交する線分に対して線対称となる形状を有していると共に、その外縁の一部が前記湾曲の頂点を含む前記凹面の一部に接触しつつ延在しており、前記刃体は、前記シャフトが前記軸スリーブに嵌挿されることによって、前記刃体支持部の前記シャフトに可動接続されている。